(57)【要約】【課題】  スライド量に合わせて光ファイバ余長分を配設しておく必要のない光ファイバ余長収納装置を提供する。【解決手段】  ラック等に取り付ける取付片１０を備えたシャーシ１と、前方に引出可能にシャーシ１上に配置され、光ファイバ収容面２ａを備えたスライドトレイ２とを有し、スライドトレイ２上にターンテーブル１６を設けた。スライドトレイ２の下面にターンテーブル１６の回転軸Ｍに連結された平歯車１８を備え、シャーシ１上に平歯車１８に係合する直線歯車１１を前後方向に配設し、ターンテーブル１６上にケーブル保持枠１９を設けて光ファイバ５の余長分を巻回させ、スライドトレイ２の引出／収納操作によりターンテーブル１６を回動させ、巻回させた光ケーブル５の前後端部の撓みを無くすことを可能とした。【選択図】  図４
2009217168.tif 000002
【特許請求の範囲】
【請求項１】
ラック等に取り付けるための固定手段を備えたシャーシと、前方に引出可能に前記シャーシ上に配置され、光ファイバ収容面を形成したスライドトレイとを有し、
前記スライドトレイは、前記光ファイバ収容面上にターンテーブルを備えると共に、前記光ファイバ収容面を介した下部に、前記ターンテーブルの回転軸に連結された歯車を備える一方、前記シャーシ上に前記歯車に係合する直線歯車を前後方向に配設し、
前記ターンテーブル上に光ファイバ巻回手段を設けて光ファイバ余長分を巻回支持可能とし、
前記スライドトレイの引出／収納操作により前記ターンテーブルが回動することを特徴とする光ファイバ余長収納装置。
【請求項２】
前記スライドトレイは、前方に引き出し可能な引出片を前端部に備え、前記引出片上に前記光ファイバ収容面に前方から入出させる光ファイバを保持するためのクランプ手段を備えた請求項１記載の光ファイバ余長収納装置。
【請求項３】
前記光ファイバ巻回手段は、前記ターンテーブルの点対称位置に一対配置され、前記光ファイバ巻回手段に巻回する光ファイバを、巻回途中で前記光ファイバ巻回手段の間を通過させて巻回方向を反転可能とした請求項１又は２記載の光ファイバ余長収納装置。
【発明の詳細な説明】
【技術分野】
【０００１】
本発明は、光ファイバ配線が成されるラック等において、その余長分を収納する光ファイバ余長収納装置に関する。
【背景技術】
【０００２】
光ファイバ配線が成されるラック等において、例えば引き出し可能なスプライスユニット等が搭載されている場合は、可動側のシャーシのスライド量を加味して、光ファイバ引き込み部に弛みを持たせている。また、光ファイバは、通常メンテナンスやシステムの拡張性も加味して、別途十分な余長分が確保されている。
この余長分は、そのままではスプライスユニット等をスライドする際の邪魔になるし、垂れ下がったりして周囲の機器操作の邪魔になり光ファイバが損傷する原因になるため、専用のスペースを設けて収納している。このような収納手段としては、例えば特許文献１に記載されたような光ファイバ収納トレイがあり、左右にレール部を設けて引き出し可能に構成され、前方の左右端部を光ファイバ入出線部とし内部全体を光ファイバ収容部としていた。
【特許文献１】特開２００１−２４３５４号公報
【発明の開示】
【発明が解決しようとする課題】
【０００３】
しかしながら、上記特許文献１の光ファイバ収納トレイは光ファイバの余長分を良好に収納できるものの、光ファイバ入出線部が左右端部であり、引き出し量に合わせて他の引き出し可能なユニットと同様に左右に余長分を設けなければならず、やはり垂れ下がりが発生して配線作業等の邪魔になり、光ファイバを傷つける原因となっていた。
そこで、本発明はこのような問題点に鑑み、スライド量に合わせて光ファイバ余長分を配設しておく必要のない光ファイバ余長収納装置を提供することを目的とする。
【課題を解決するための手段】
【０００４】
上記課題を解決する為に、請求項１の発明は、ラック等に取り付けるための固定手段を備えたシャーシと、前方に引出可能に前記シャーシ上に配置され、光ファイバ収容面を形成したスライドトレイとを有し、前記スライドトレイは、前記光ファイバ収容面上にターンテーブルを備えると共に、前記光ファイバ収容面を介した下部に、前記ターンテーブルの回転軸に連結された歯車を備える一方、前記シャーシ上に前記歯車に係合する直線歯車を前後方向に配設し、前記ターンテーブル上に光ファイバ巻回手段を設けて光ファイバ余長分を巻回支持可能とし、前記スライドトレイの引出／収納操作により前記ターンテーブルが回動することを特徴とする。
この構成によれば、スライドトレイを引き出すことで光ファイバ余長分の収納操作をスムーズに行うことができる。そして、引出操作や押し込み操作に連動してターンテーブルが回転するので、スライドトレイの引出量に合わせて光ファイバ入出線部の光ファイバ長さを自動調整することが可能となり、スライドトレイのスライド量に応じた余長分を入出線部に設けておく必要がなくなる。
【０００５】
請求項２の発明は、請求項１に記載の発明において、前記スライドトレイは、前方に引き出し可能な引出片を前端部に備え、前記引出片上に前記光ファイバ収容面に前方から入出させる光ファイバを保持するためのクランプ手段を備えたことを特徴とする。
この構成によれば、前面側にクランプ手段を設けても、ターンテーブルとクランプ手段の間を広げることができ、光ファイバ巻回操作をスムーズに行うことができる。
【０００６】
請求項３の発明は、請求項１又は２記載の発明において、前記光ファイバ巻回手段は、前記ターンテーブルの点対称位置に一対配置され、前記光ファイバ巻回手段に巻回する光ファイバを、巻回途中で前記光ファイバ巻回手段の間を通過させて巻回方向を反転可能としたことを特徴とする。
この構成によれば、スライドトレイのスライド操作により、巻回された光ファイバの一端が巻き戻される方向にターンテーブルが回転する場合は、光ファイバの他端も巻き戻される。そのため、スライドトレイを引き出し／押し込み操作した際に双方を同時に撓ませたり引き込んだりでき、光ファイバ入線部及び出線部の双方に余裕を持たせておく（余長分を設けておく）必要がなくなる。
【発明の効果】
【０００７】
本発明によれば、スライドトレイの引出操作や押し込み操作に連動してターンテーブルが回転するので、スライドトレイの引出量に合わせて光ファイバ入出線部の光ファイバ長さを自動調整させることが可能となる。そのため、ライドトレイのスライド量に応じた余長分を入出線部に設けておく必要がなくなる。
【発明を実施するための最良の形態】
【０００８】
以下、本発明を具体化した実施の形態を、図面に基づいて詳細に説明する。図１〜図４は本発明に係る光ファイバ余長収納装置の一例を示し、図１はラック等に収納した状態の斜視図、図２は図１の状態で光ファイバを収納した平面図、図３は引き出した状態の斜視図、図４は図３の状態で光ファイバを収納した平面図である。
これらの図において、１はラック等に固定されるシャーシ、２はシャーシ１上で前後移動（図１の左下側が前方）可能なスライドトレイ、３はスライドトレイ２上で前後移動可能な引出片、４は光ファイバ収容部である。尚、図２、図４では収納する光ファイバ５を説明のため１本しか記載していないが、通常は複数本が収納される。
【０００９】
シャーシ１は、ラック等に本装置を取り付けるための取付片１０を左右に備え、その取付片１０，１０間に平坦な底板１ａが配設されている。この底板１ａ上にはスライドトレイ２に係合するラック状の直線歯車１１が１本前後方向に配設され、取付片１０から前方に突出した部位の左右端部には、左右側方から入出させる光ファイバ５を保持するための半円形状の側部ケーブルクランプ１２が設置されている。
【００１０】
スライドトレイ２は、シャーシ１と略同一の奥行きを有し、直線歯車１１を覆うようにシャーシ１上に配設されている。このスライドトレイ２の上面には光ファイバ収容面２ａが形成され、左右側部にはシャーシ１の底板１ａに当接する帯状の当接片１４が前後方向に設けられている。この当接片１４は、下方に一段下げて形成され、光ファイバ収容面２ａと底板１ａとの間に隙間を設けている。
そして、当接片１４には長穴１４ａが形成され、長穴１４ａを介してシャーシ１にスライド可能にねじ１３により連結されると共に、底板１ａに固着された支持枠１５により底板１ａ上に支持され、安定したスライドを可能としている。
尚、長穴１４ａは、スライドトレイ２全体を前方に十分引き出せるよう（ほぼ全体が取付片１０より前方に出るよう）十分な長さで形成されている。
【００１１】
一方、スライドトレイ２の後部には、光ファイバ収容面２ａの要部を成すターンテーブル１６が設けられてている。このターンテーブル１６は、この面に直交する回転軸Ｍを有し、回転軸Ｍはスライドトレイ２を貫通し、スライドトレイ２の下面に配置された図２（或いは図４）に示すような円盤状の平歯車１８が連結されている。
平歯車１８は底板１ａ上に設けられた直線歯車１１と係合し、スライドトレイ２を前後動させることで回転するよう構成されている。詳しくは、スライドトレイ２を引き出す際は、図３の矢印Ａに示すようにターンテーブル１６が時計回転するよう、直線歯車１１は配置されている。
【００１２】
ターンテーブル１６上は光ファイバ収容部４を構成し、光ファイバ５の余長分を巻回するための略扇形のケーブル保持枠１９がターンテーブル１６の中心である回動軸Ｍを対称軸にして１対設置され、回転軸Ｍ上に光ファイバを保持するための中央ケーブルクランプ２０が設けられている。また、ケーブル保持枠１９は２重の巻回壁１９ａ，１９ｂを有し、光ケーブル５を２重に巻回可能としている。
【００１３】
一方、スライドトレイ２の前部にはコ字状の切り欠き２２が設けられ、その切り欠き２２に引出片３が配置されている。引出片３は、光ファイバ収容面２ａと底板１ａとの間に形成された空間に収容され、図３に示すように左右側部に前後に延びた長穴２３が設けられ、この長穴２３を介してスライドトレイ２にねじ２１により連結され、前後にスライド可能となっている。
また、引出片３の前部には、前方から入出線される光ファイバ５を保持するための前面ケーブルクランプ２４が取り付けられている。
【００１４】
このように構成された光ファイバ余長収納装置への光ファイバ５の収納操作は以下のようである。まず、図３に示すようにスライドトレイ２及び引出片３が引き出される。引き出す事により、シャーシ１がラック等に収容固定された状態でもターンテーブル１６がラック枠等より前方に引き出され、光ファイバ５の巻回収納操作が可能となるし、ターンテーブル１６と前面ケーブルクランプ２４の間のスペースが拡大され、作業がし易くなる。
この状態で、図４に示すように側方から導入された光ファイバ５は、側部ケーブルクランプ１２を通して入線し、ターンテーブル１６に反時計方向に数回巻回した後、中央ケーブルクランプ２０に通して反転操作し、時計方向に残りの余長分を巻回する。その後、前面ケーブルクランプ２４から出線する。尚、このとき図４に示すように、ターンテーブル１６上に巻回する際、その直前の光ファイバ５は僅かに撓みを設けておく。
こうして、光ファイバ５の余長分を収納する。また、他の光ファイバ５に対しても同様の操作で収納する。
【００１５】
そして、光ファイバ５の巻回収納操作が終了したら、引き出した状態の引出片３及びスライドトレイ２の本体を押し込み、シャーシ１上に収容させる。この押し込み操作で、ターンテーブル１６は反時計方向に回転するため、側方から導入された光ファイバ５をターンテーブル内に巻き込むと共に、前方へ引き出した光ファイバ５も同時に巻き込み、図２に示すように弛みがなくなって収納される。尚、スライドトレイ２を引き出す際には、ターンテーブル１６が逆回転するため、収納した状態で弛みが無くても良好に引き出しできる。
【００１６】
このように、スライドトレイを引き出すことで光ファイバ余長分の収納操作をスムーズに行うことができる。そして、引出操作や押し込み操作に連動してターンテーブルが回転するので、スライドトレイの引出量に合わせて光ファイバ入出線部の光ファイバ長さを自動調整させることができ、スライドトレイのスライド量に応じた余長分を入出線側に設けておく必要がなくなる。
また、前面ケーブルクランプを設けても、ターンテーブルと前面ケーブルクランプの間を広げることができ、光ファイバ巻回操作をスムーズに行うことができる。
そして、ターンテーブル上で途中で反転させて巻回することで、巻回された光ファイバの一端が巻き戻される方向にターンテーブルが回転する場合は、光ファイバの他端も巻き戻されるため、引き出し／押し込み操作した際に双方を撓ませたり引き込んだりでき、光ファイバ入線部及び出線部の双方に余裕を持たせておく必要がなくなる。
【００１７】
尚、上記実施形態は、ターンテーブル１６上で巻回収納する際、途中で巻回方向を反転させているが、反転させなくても収納は可能である。但し、巻回方向はスライドユニット２を押し込み操作した際に、側部に設けた側部ケーブルクランプ１２に保持された光ファイバ５の緩みが無くなる方向に巻回すると良く、収納時に左右の隙間に光ファイバ５の撓みが無くなるため、メンテナンス等の際に狭い空間に配設された光ファイバ５の入出線部を傷めるようなことが無くなる。
また、右側方の側部ケーブルクランプ１２と一方の前面ケーブルクランプ２４の間で光ファイバ５を配設しているが、左右側部の側部ケーブルクランプ１２，１２間で光ファイバ５を配設しても良いし、一対の前面ケーブルクランプ２４，２４間で配設しても良い。
更に、前面ケーブルクランプ２４をスライド可能としているが、スライド不可としてもケーブルの巻回収納は可能である。
【図面の簡単な説明】
【００１８】
【図１】本発明に係る光ファイバ余長収納装置の一例を示し、スライドトレイを押し込んだ状態の斜視図である。
【図２】図１の装置に光ファイバを収納した平面説明図である。
【図３】図１のスライドトレイを引き出した状態の斜視図である。
【図４】図３の状態で光ファイバを収納した平面説明図である。
【符号の説明】
【００１９】
１・・シャーシ、１ａ・・底板、２・・スライドトレイ、２ａ・・光ファイバ収容面、３・・引出片、４・・光ファイバ巻回部、５・・光ファイバ、１０・・取付片、１１・・直線歯車、１２・・側部ケーブルクランプ、１５・・支持枠、１６・・ターンテーブル、１８・・平歯車（歯車）、１９・・ケーブル保持枠（光ファイバ巻回手段）、２４・・前面ケーブルクランプ。
【図１】
2009217168.tif 000003
【図２】
2009217168.tif 000004
【図３】
2009217168.tif 000005
【図４】
2009217168.tif 000006